(57)【要約】おむつパンツなどの吸収性使い捨て物品。テープ手段（２３）は前記パンツおむつの外側上に一部によって永続的に取付けられている。テープ手段はテープフラップ（２９）を有し、そのテープフラップ（２９）が物品の使用中待機状態で配置され、かつ物品が折りたたまれてひとまとめのものを形成した後、形成されたひとまとめのものを閉じるために使用可能である。テープフラップ（２９）がその待機状態から開放され引き上げられてまっすぐ突出する伸張状態になったときにテープ手段（２３）はＴ形状であり、テープフラップは前記Ｔの幹部分を形成する一方、前記Ｔの二つの交差する脚（２７，２８）は永続的に取付けられた部分を構成しており、その結果としてテープフラップにおける引張力が二つの脚（２７，２８）によって吸収される。外部層（２２）は不織布の積層体からなり、その積層体はスパンボンドの少なくとも一つの外部層及び少なくとも一つのメルトブローの内部層を含む。テープ手段（２３）は外部層から離れる危険を全く持たずにテープ手段が前記テープフラップにおいて少なくとも２５Ｎの負荷に耐えるような接着力でテープ手段（２３）が外部層（２２）に永続的に取付けられている。【選択図】図６
2004532705.tif 000002
【特許請求の範囲】
【請求項１】
おむつパンツ、ブリーフの形の衛生ナプキンなどの吸収性使い捨て物品であって、その物品が物品の使用中装着者に面する内部層（２１）、外部層（２２）、及び外部層と内部層の間に配置された吸収要素を含み、それに加えて物品が股部分（１４）を有し、その両側上に物品の使用中装着者の腰を包囲する腰部分（１２，１３）を設けており、それに加えてテープ手段（２３）が前記外部層（２２）の外側上に一部によって永続的に取付けられており、前記テープ手段がテープフラップ（２９）を有し、そのテープフラップ（２９）が物品の使用中待機状態で配置され、かつ物品の使用後及び物品が折りたたまれるか又は丸められてひとまとめのものを形成した後、その待機状態から形成されたひとまとめのものを閉じるために使用可能な使用状態へもたらされることができるものにおいて、テープフラップ（２９）がその待機状態から開放され引き上げられて外部層（２２）からまっすぐ突出する伸張状態になったときにテープ手段（２３）が長手方向区域において本質的にＴ形状になるようにテープ手段（２３）が設計されており、テープフラップが前記Ｔの幹部分を形成する一方、前記Ｔの二つの交差する脚（２７，２８）が外部層（２２）に永続的に取付けられた部分を構成しており、その結果としてテープフラップ（２９）における引張力が二つの脚（２７，２８）によって又は長手方向に一つの脚（２７又は２８）によってのいずれかによって吸収されること、及び外部層（２２）が不織布の積層体からなり、その積層体がスパンボンド不織布の少なくとも一つの外部層及び少なくとも一つのメルトブロー不織布の内部層を含むこと、及びテープ手段（２３）が外部層（２２）から離れる危険を全く持たずにテープ手段（２３）が前記テープフラップ（２９）において少なくとも２５Ｎの負荷に耐えるような接着力でテープ手段（２３）が外部層（２２）に永続的に取付けられていることを特徴とする物品。
【請求項２】
テープ手段（２３）の二つの脚（２７，２８）及び移動可能なテープフラップ（２９）が最大３０ｍｍ、好適には最大２０ｍｍの幅を有することを特徴とする請求項１に記載の物品。
【請求項３】
外部層（２２）がＳＭＳ積層体からなることを特徴とする請求項１又は２に記載の物品。
【請求項４】
外部層（２２）がＳＭＭＳ積層体からなることを特徴とする請求項１又は２に記載の物品。
【請求項５】
外部層（２２）がＳＳＭＭＳ積層体からなることを特徴とする請求項１又は２に記載の物品。
【請求項６】
テープフラップ（２９）がその待機状態において、テープ手段の永続的に取付けられた脚（２７，２８）への移行部における折り目線に加えてテープフラップの長さに沿って少なくとも一つの場所においてテープフラップを横切る折り目線に沿って折りたたまれ、かつテープフラップの取付接着剤（３）によってテープ手段の脚に脱着可能に取付けられていることを特徴とする請求項１〜５のいずれかに記載の物品。
【請求項７】
折りたたまれるか又は丸められた使用済物品を閉じるために意図された前記取付接着剤（３）に加えて、テープフラップ（２９）がテープ手段の脚と接触する折りたたまれた待機状態においてテープフラップを脱着可能に保持することを意図される少なくとも一つのさらなる接着剤領域を有することを特徴とする請求項６に記載の物品。
【請求項８】
テープフラップが折りたたまれるか又は丸められた使用済物品を閉じるときテープフラップを長くすることができる伸張可能部分を有することを特徴とする請求項１〜７のいずれかに記載の物品。
【請求項９】
テープ手段（２３）が外部層（２２）から離れる危険を全く持たずにテープフラップ（２９）が少なくとも３０Ｎの負荷に耐えるような接着力で外部層（２２）に永続的に取付けられていることを特徴とする請求項１〜８のいずれかに記載の物品。
【発明の詳細な説明】
【技術分野】
【０００１】
本発明は、おむつパンツ、ブリーフの形の衛生ナプキンなどの吸収性使い捨て物品であって、その物品が物品の使用中装着者に面する内部層、外部層、及び外部層と内部層の間に配置された吸収要素を含み、それに加えて物品が股部分を有し、その両側上に物品の使用中装着者の腰を包囲する腰部分を設けており、それに加えてテープ手段が前記外部層の外側上に一部によって永続的に取付られており、前記テープ手段がテープフラップを有し、そのテープフラップが物品の使用中待機状態で配置され、かつ物品の使用後及び物品が折りたたまれるか又は丸められてひとまとめのものを形成した後、その待機状態から形成されたひとまとめのものを閉じるために使用可能な使用状態へもたらされることができるものに関する。
【背景技術】
【０００２】
おむつ及び衛生ナプキンの如き衛生使い捨て物品を使用した後、物品中に取り込まれた糞便、尿又は月経血が漏出したり又は汚れを生じるのを防止するために使用済物品をひとまとめに包囲できることが主に衛生的理由のため、また審美的理由のため望ましい。装着者が使用済物品を新しいものと交換したいとき、装着者が家にいないと使用済物品を衛生的に満足のいく方法で廃棄することが容易でないことが多い。もちろん人は使用済衛生物品のための廃棄バッグを必ずしも手に持っておらず、ゴミ箱があったとしても、それは使用済衛生物品をそこに公然と捨てるのに十分なものではない。使用済衛生ナプキンのための衛生バッグは衛生ナプキンの包装に含まれるが、これは幼児のためのおむつの販売に関する限りあてはまらず、よちよち歩きの幼児の世話をする親などは廃棄バッグを常に手にすることを気にかけていなければならない。
一時は幼児用おむつの大部分を占めていたテープを有するあるタイプの幼児用おむつの使用では、幼児におむつを取付るために使用されるテープによって使用済おむつの上述の問題を解決することが容易であった。これが機能するためには、幼児に適合されたおむつ上のテープはテープフラップがその取付表面上で一緒に材料を取ることなく開放されうることが前提条件である。何故なら、取られた材料はテープを再び使用できなくするからである。使用可能な取付テープを有するおむつはテープによって閉じられる好適なひとまとめのものを形成するために折りたたまれるか又は丸められることができる。
【０００３】
現在一般的であるフックアンドループ接続として知られるものの使用では、このタイプの接続は使用済おむつを閉じてひとまとめのものを形成するように機能しないことが多い。それが作用するためには、フックアンドループフックがおむつの外部層に取付けられることができることが前提条件であり、それはあてはまらないことが多い。
【０００４】
おむつパンツの使用はますます一般的になり、これらには廃棄のためにひとまとめにしたものを形成するために折りたたまれるか又は丸められた使用済物品を閉じるために使用されることができるテープなどはもちろんない。それゆえフックアンドループ接続をおむつに与えること、また折りたたまれるか又は丸められた使用済おむつ又はおむつパンツを閉じるためだけに使用されることを意図される特別なテープ手段をおむつパンツに与えることも普通になっている。公知の解決策では、これらのテープ手段は物品の外側上に及びおむつ又はおむつパンツの前又は後側上の腰部分に位置されている。使用済物品の折りたたみ又は丸めこみは前記テープ手段を与えられていない物品の端部分から実施され、その後テープフラップはその待機状態から持ち上げられ、折りたたまれるか又は丸められた部分に取付けられる。
【０００５】
おむつパンツの如き折りたたまれるか又は丸められた使用済衛生物品を閉じるためのテープ手段の使用は極めて多くの問題と関連する。物品の外側へのテープフラップの接着はもちろん物品のための外部材料の選択に依存する。もし外部層がプラスチックから作られるなら、商業的に入手可能なおむつテープは問題なく取付けられるだろう。しかしながら、消費者は織物状の外側を有するおむつパンツの如き衛生使い捨て物品を好むことが見い出されており、そうするとプラスチックは二者択一ではなく、同じタイプ又は異なるタイプの不織布の積層体からなる又は一つの層の不織布によって構成されることができる様々なタイプの不織布が使用される。
【０００６】
解決策は、折りたたまれるか又は丸められたおむつパンツを閉じるためのテープ手段がフックアンドループ接続の形の一方の部分からなり、他方の部分がテープ手段と相互作用するために物品の外側上の好適な場所に配置される特別な受容領域又は物品の外側のいずれかからなることにある。しかしながら、かかる解決策は相対的に高価であり、本発明が解決する特定の問題、即ち物品の外部層へのテープ手段の永続的な接続が十分に強いこと、を解決していない。
【０００７】
確かに考慮に入れられたが、使用済物品を閉じて使い捨てのためにひとまとめに形成するための特別なテープ手段を有する従来公知の衛生使い捨て物品の製造において満足のいく方法で解決されなかった問題は、安全上の理由のため、テープ手段が物品の外側上に強く永続的に固定されなければならないことである。幼児がテープ手段を緩めて、それを飲み込むように作用する危険がある。
【０００８】
本発明の目的はどのような場合であっても幼児がテープフラップを引くことによってテープ手段を物品の残りから緩めるように作用することができる危険が全くないテープ手段のかかる永続的な固定を与える構成を生成することである。
【０００９】
これらの製品は極めて競争的な市場における使い捨て物品であるので、その解決策は最も低い可能な価格で生み出されなければならない。同時に、使い捨て物品の外部層に関する他の条件は満足されなければならない。即ち、通常の使用及び取扱い中それを破壊する危険が全くないように十分丈夫でなければならず、同時に材料は柔らかく感じ装着者にとって心地良く、しかも織物の感覚及び外観を与えなければならない。これらの条件は全て満足のいく解決策を見い出すには困難性を生じるものである。
【００１０】
ひとまとめにしたものを形成するために折りたたまれるか又は丸められた使用済み物品を閉じるための特別なテープ手段を有する全ての公知の商業的に入手可能な衛生使い捨て物品はテープ手段が適切に安全に固定されたかどうかを決定するために調べられた。この関連において、我々が調べた公知の物品には安全性の見地から満足のいくものはなかったことが認められた。幼児はテープ手段を緩めてそれを飲み込むことができるだろう。テープ手段の接着の程度はテープの接着能力、使い捨て物品の外部層の選択及びテープの構成に依存する。調べた物品では、テープ取付表面の長手方向への引張抵抗は適切である。即ち、テープ手段はその意図した機能を十分に発揮している。他方、自由テープフラップ端がテープ手段の反対の固定端の方向に引張られるならテープ手段を自由にすることは容易である。即ち、テープは少しずつ丸められる。
【００１１】
ＥＰ  ０８２６３５２Ａ２から、テープ手段の構成は知られており、それはこのタイプの引張り（即ち少しずつの引張り）を不可能にする。前記公報によるテープ手段は外部層に永続的に固定された二つの取付脚を有し、自由テープフラップ端はこれらの取付脚が会うその取付部を有し、これらの各々に接続される。それゆえ、もし永続的に固定された取付脚の一つの端に向かう方向に引張りが行われるなら、この脚の引き剥がしは全く起こらない。なぜならば力は外部層に永続的に接続された他の脚の長手方向に向けられるからである。それゆえテープ取付手段は市場で入手可能な構成ほど幼児によって容易に自由にされることはできない。前記公報による取付部上の応力はテープフラップが外部層の平面から直角に引張られるときに最も大きい。ＥＰ  ０８２６３５２Ａ２は外部層がどのように設計されるべきか又はテープ手段が離れる前にどのくらいの大きさの応力に耐えるかについて何ら教示を与えていない。ＥＰ  ０８２６３５２では、外部層がプラスチックフィルムからなることが述べられており、それは外部層としての不織布の使用と関連した低いテープ接着力の形の問題に対応していないことを意味する。
【発明の開示】
【００１２】
本発明によれば、冒頭で述べたタイプの吸収物品は、テープフラップがその待機状態から開放され引き上げられて外部層からまっすぐ突出する伸張状態になったときにテープ手段（２３）が長手方向区域において本質的にＴ形状になるようにテープ手段が設計されており、テープフラップが前記Ｔの幹部分を形成する一方、前記Ｔの二つの交差する脚が外部層に永続的に取付けられた部分を構成しており、その結果としてテープフラップにおける引張力が二つの脚によって又は長手方向に一つの脚によってのいずれかによって吸収されること、及び外部層が不織布の積層体からなり、その積層体がスパンボンド不織布の少なくとも一つの外部層及び少なくとも一つのメルトブロー不織布の内部層を含むこと、及びテープ手段が外部層から離れる危険を全く持たずにテープ手段が前記テープフラップにおいて少なくとも２５Ｎの負荷に耐えるような接着力でテープ手段が外部層に永続的に取付けられていることを特徴とする。
【００１３】
研究によって幼児は２５Ｎの大きさの引張力を発揮できないことが示された。この基準及び織物外観及び織物感触、さらに低コストの如き他の望ましい基準は前記特徴を有する物品によって達成された。
【００１４】
一つの例によれば、本発明は、テープ手段の二つの脚及び移動可能なテープフラップが最大３０ｍｍ、好適には最大２０ｍｍの幅を有することを特徴とする。幅をこの値に制限することはコストの見地から及び環境上の理由のため好ましい。使い捨て製品における材料節約はもちろん環境上の理由のため特に重要である。
【００１５】
別の例によれば、本発明は、外部層がＳＳＭＭＳ積層体からなることを特徴とする。この積層体は材料を節約する目的のために好ましいと同時に極めて高い接着力を与えることが見い出された。
【００１６】
別の例によれば、本発明は、テープ手段が外部層から離れる危険を全く持たずにテープフラップが少なくとも３０Ｎの負荷に耐えるような接着力で外部層に永続的に取付けられていることを特徴とする。
【００１７】
さらなる例は他の特許請求の範囲から明らかである。
【図面の簡単な記述】
【００１８】
本発明は添付図面に示された例を参照して以下より詳細に記載されるだろう。
図１は使用済吸収製品からなるひとまとめのものを閉じるための従来公知のテープ手段の固定を概略的に示す。
図２は本発明による製品のテープ手段形成部の固定原理を概略的に示す。
図３は使用後に折りたたまれるか又は丸められたおむつパンツを閉じるために意図されたテープ手段を有するおむつパンツの形の本発明による吸収物品を透視図で示す。
図４は本発明による製品のテープ手段形成部の一例の長手方向区域を示す。
図５は使用後に折りたたまれた状態の図３に示されたおむつパンツを示す。
図６はテープ手段をその固定状態から引張るのに必要な力を測定する方法を概略的に示す。
【発明の実施の形態】
【００１９】
図１は製品を使用して折りたたんだ後に製品を折りたたんだ状態で閉じることを意図される商業的に入手可能な吸収性使い捨て製品に使用されるタイプのテープ手段１を示す。テープ手段１は支持体２及びその上に配置された接着剤３からなる。テープ手段は層４を有し、それは接着剤３に取付られかつその外側は接着剤を与えられた自由端部分５が待機状態において前記層４に脱着可能に取付けられることができるために剥離剤で処理されている。テープ手段は接着剤を与えられた端部分６を有し、それは吸収製品の外側７上に永続的に配置されることを意図される。図１はもし例えば幼児がテープ手段１の自由端をつかみ矢印Ａの方向に引張ったら何が起こるかを示す。永続的な取付のための意図された部分６はそのときベース７から少しずつ剥離されるだろう。これはベースからある程度剥離された接着剤を与えられた一部分によって図１に示されている。
【００２０】
図２は図１による構成と比較すると、より好適に設計されかつ本発明による吸収製品に使用されることを意図されるタイプのものであるテープ手段を示す。テープ手段は二つのテープ部分、即ち短い方のテープ部分８及び長い方のテープ部分９、からなり、それらは支持体２及び接着剤３からなる。図２からわかるように、二つのテープ部分８及び９はそれらの範囲の一部に沿って接着剤同士で相互接続されている。結果として、この接続は極めて強い。長い方のテープ部分９は自由端１０を有し、その一部分だけが図に示されている。この自由端はテープフラップを構成することを意図される。テープ部分８及び９は二つの脚を形成し、それによってテープ手段はベース７、即ち吸収物品の外側に取付けられる。図２によるテープ手段の固定は図１による固定よりずっと強い。図２によるテープ手段は図１に示されたように少しずつ容易に剥離されることができない。図２による固定のための負荷の最も臨界的な場合は自由テープフラップがベース７に対して直角に、即ち図２の矢印Ａによって示されるように引張られるときである。しかしながら、この場合であっても、固定は図１による構成と比較すると極めて良好である。
【００２１】
図３は二つの腰部分１２，１３及び中間股部分１４からなるおむつパンツ１１を示す。腰部分１２，１３は縁部分１６，１７に沿って永続的に接続されている。おむつパンツはこれらのまわりに配置された脚弾性体１８，１９を有する脚開口を持つ。おむつパンツは装着者の腰のまわりの接触を封止するための腰弾性体２０も与えられている。おむつパンツは装着者と接触する内部層２１及び外部層２２を有し、また前記層の間に配置された吸収要素（図示せず）を有する。
【００２２】
テープ手段２３は前腰部分１２の中央に配置される。テープ手段は図４を参照して以下により詳細に記載されかつ待機状態で図３に示される構成を有し、その待機状態からテープフラップは前腰部分１２を横切って上方向に引き上げられ、使用済おむつパンツが折りたたまれるか又は丸められた後に、腰開口の反対側上の外部層の一部に前腰部分を接続することによって形成されたひとかたまりのものを閉じることができる。
【００２３】
示された例では、テープ手段は明瞭のため前腰部分１２上に配置されている。しかしながら、テープ手段を後腰部分上に永続的に位置させることがより好適である。なぜならばもしテープ手段がおむつパンツの後に永続的に配置されるなら幼児がテープをつかみ、それで遊ぶことはより難しくなるからである。
【００２４】
図４は、図３に示されたタイプのテープ手段の一例を詳細に示す。ここでは、テープ手段は三つのテープ部分２４，２５及び２６から構成される。上記テープ手段のように、異なるテープ部分は支持体２及び接着剤３からなる。部分２７及び２８は二つの脚を形成し、それらは図３のおむつパンツの外部層に永続的に接続されることを意図される。即ち、図２に示された基本デザインの脚と同じ方法でベース７に永続的に固定されることを意図される。テープ部分２５及びテープ部分２６の残りの部分は図４の待機状態で示されている自由テープフラップ２９を一緒に形成する。この状態では、テープ手段は全体としてＺ形状に折りたたまれ、外部テープ部分２６はテープ部分２５上の支持体２に接着剤を与えられた側によって取付けられ、一方テープ部分２５によって形成されたテープフラップ２９の部分はテープ部分２４上の支持体２に脱着可能に取付けられる。テープフラップをその待機状態から自由にすることを容易にするためには、ストリップ３０がテープフラップの自由端部分上に配置される。
【００２５】
図５はどのようにして折りたたまれた使用済おむつパンツがテープフラップ２９によって折りたたまれた状態で固定されるかを示し、テープフラップ２９はその待機状態から起き上げられおむつパンツの前腰部分から腰開口上に延び、おむつパンツの腰開口の反対側上の場所で外部層２２に取付けられている。
【００２６】
研究によって幼児は２５Ｎのオーダを越える引張力を発揮できないことが示された。それゆえ本発明によるテープ手段は引張力が発揮される方向にかかわらず少なくとも２５Ｎのテープフラップにおける負荷を吸収できるような接着力でおむつパンツの外部層に永続的に取付けられる。
【００２７】
図６はテープ手段の負荷を測定する方法を示す。測定は例えば（Ｉｎｓｔｒｏｎ  Ｃｏｒｐｏｒａｔｉｏｎによって供給された）Ｉｎｓｔｒｏｎブランドの引張試験機で実施された。図６はテープ手段がおむつパンツの外部層への永続的な取付から離れることなしにテープフラップ２９が受けうる負荷を測定するための引張試験機において図３によるおむつパンツの固定を示す。テープ手段が永続的に配置される腰部分１２だけが引張試験機の下部クランプ３１に固定されている。前記下部クランプには吸収要素ではなく弾性体を有するカバーだけが固定されなければならない。テープフラップ２９は引張られ引張試験機の上部クランプ３２に固定される。引張を開始するとき、おむつパンツは図６からわかるように引張方向に対して直角でなければならない。テープ手段が外部層から離れるときの最大値が記録される。下部クランプの幅は少なくとも２００ｍｍであるべきであり、引張試験機のスピードは３００ｍｍ／分であるべきである。
【００２８】
テープへの良好な接着のため、外部層は外側からスパンボンド（Ｓ）の少なくとも一つの層、メルトブロー（Ｍ）の少なくとも一つの層、及び内側上のスパンボンド（Ｓ）の一つの層からなる積層体から作られる。おむつなどの吸収物品の外部層として、スパンボンド及びメルトブローの多数の層の積層体、例えばＳＭＳ積層体、ＳＭＭＳ積層体などの形の不織布として知られるものを使用することが従来公知である。本発明によれば、問題の積層体が柔らかくかつ織物感覚及び織物外観を有すると同時に吸収性使い捨て物品で使用されるタイプのテープ手段の特に良好な接着を得るためにまさにこのタイプの外部層を使用する重要性が強調される。かかる材料はさらに対応する強度特性を有する他の材料と比較するとコスト的に有利である。
【００２９】
本発明による吸収物品の好適な外部層の一例は４．７／４．７／１．５／１．５／４．６ｇ／ｍ２に等しい単位面積あたりの重量、即ち１７ｇ／ｍ２の単位面積あたりの全重量のＳ／Ｓ／Ｍ／Ｍ／Ｓを有するＨ２０１０１０７０２の名称のＦｉｂｅｒｔｅｘからのＳＳＭＭＳ積層体である。
【００３０】
コスト及び環境上の理由のため、テープ手段は３０ｍｍを越えない、好ましくは２０ｍｍを越えない幅を有するべきである。
【００３１】
本発明は上記の例に限定されず、特許請求の範囲内で多数の変形が可能である。
【００３２】
テープ手段は上記のように設計される必要はないが、使用前Ｚ形状以外の方法で折りたたまれることができる。テープ手段のテープフラップはその伸張を容易にするために伸張可能部分を与えられることができる。
【００３３】
テープ手段は多くの方法で設計されることができる。本質的な特徴は、テープフラップが自由にされ外部層に対して直角に伸張されるとき、それが長手方向区域においてＴの形状を形成し、二つの交差する脚が外部層に永続的に接続され、テープフラップが前記Ｔ形状の幹部分を構成するようにテープ手段が設計され、その結果としてテープフラップに生じる負荷が二つの交差する脚によって吸収されることである。
【図面の簡単な説明】
【００３４】
【図１】使用済吸収製品からなるひとまとめのものを閉じるための従来公知のテープ手段の固定を概略的に示す。
【図２】本発明による製品のテープ手段形成部の固定原理を概略的に示す。
【図３】使用後に折りたたまれるか又は丸められたおむつパンツを閉じるために意図されたテープ手段を有するおむつパンツの形の本発明による吸収物品を透視図で示す。
【図４】本発明による製品のテープ手段形成部の一例の長手方向区域を示す。
【図５】使用後に折りたたまれた状態の図３に示されたおむつパンツを示す。
【図６】テープ手段をその固定状態から引張るのに必要な力を測定する方法を概略的に示す。
【図１】
2004532705.tif 000003
【図２】
2004532705.tif 000004
【図３】
2004532705.tif 000005
【図４】
2004532705.tif 000006
【図５】
2004532705.tif 000007
【図６】
2004532705.tif 000008
【国際公開パンフレット】
2004532705.tif 000009
2004532705.tif 000010
2004532705.tif 000011
2004532705.tif 000012
2004532705.tif 000013
2004532705.tif 000014
2004532705.tif 000015
2004532705.tif 000016
2004532705.tif 000017
2004532705.tif 000018
2004532705.tif 000019
2004532705.tif 000020
2004532705.tif 000021
2004532705.tif 000022
2004532705.tif 000023
2004532705.tif 000024
2004532705.tif 000025
2004532705.tif 000026
2004532705.tif 000027
【国際調査報告】
2004532705.tif 000028
2004532705.tif 000029
2004532705.tif 000030